(57)【要約】      （修正有）【課題】回転軸の回転中に生じる熱を効率よく排出し、これにより回転軸の使用寿命を確実に延ばすことが可能なキャンドモータポンプを提供する。【解決手段】キャンドモータポンプ２００は、ロータケース１０と、ロータケース１０内に配置される回転軸３０と、回転軸３０を挿入する軸受ユニット４０と、軸受ユニット４０を外嵌するロータ５０と、を備えて、軸受ユニット４０のロータ５０に面する外周面４３には、第１の端面４１から第２の端面４２にまで延伸する切込み溝４４が複数凹設される上、ロータケース１０と軸受ユニット４０とロータ５０との間に、切込み溝４４と、ロータ５０と底板部１１との間の隙間と、ロータ５０と側壁部１２との間の隙間と、が含まれて連続する１つの流体通路１００が画成されている。【選択図】図２
0003235611.tif 000002
【実用新案登録請求の範囲】
【請求項１】
所定の中心軸線に沿って延伸するロータ保持空間を囲むと共に、前記中心軸線が略直交するように通過する底板部と、該底板部の周縁から前記中心軸線と略平行に延伸する側壁部と、該側壁部の前記底板部から延伸する先端側にあるケース開口と、を有するように形成されたロータケースと、
前記ロータケースの外側において該ロータケースを囲んで保持固定する環状のステータと、
前記中心軸線に沿って延伸するように前記ロータ保持空間内に配置され、且つ、前記ロータケースの前記底板部により保持されている第１の端部と、該第１の端部の反対側にある第２の端部と、前記第１の端部と前記第２の端部との間にある本体部と、を有する回転軸と、
前記ロータケースの前記側壁部の内側において前記回転軸の前記本体部を挿入する管状体に形成されていると共に、前記ロータケースの前記ケース開口に面する第１の端面を有する小径管部と、前記ロータケースの前記底板部に面する第２の端面を有する大径管部と、からなる軸受ユニットと、
前記軸受ユニットを管外側から囲んで保持し、前記中心軸線を軸心として前記軸受ユニットと共に回転できるように、前記ロータケースの前記側壁部の内側に配置されているロータと、を備えたキャンドモータポンプであって、
前記軸受ユニットの前記ロータに面する外周面には、前記中心軸線と略平行して前記第１の端面から前記第２の端面にまで延伸し、且つ、前記第１の端面と前記第２の端面とにそれぞれ第１の端面開口と第２の端面開口とを有する切込み溝が複数凹設される上、
前記ロータケースと前記軸受ユニットと前記ロータとの間に、前記切込み溝と、前記ロータと前記底板部との間の隙間と、前記ロータと前記側壁部との間の隙間と、が含まれて連続する１つの流体通路が画成されていることを特徴とするキャンドモータポンプ。
【請求項２】
前記軸受ユニットの前記回転軸に面する内周面には、前記第１の端面から前記第２の端面にまでらせん状に延伸するらせん溝が凹設されていることを特徴とする請求項１に記載のキャンドモータポンプ。
【請求項３】
前記軸受ユニットの前記回転軸に面する内周面には、前記中心軸線と略平行して前記第１の端面から前記第２の端面にまで延伸し、且つ、前記らせん溝に連通する内側溝が凹設されていることを特徴とする請求項２に記載のキャンドモータポンプ。
【請求項４】
前記軸受ユニットの前記ロータに面する外周面は、前記小径管部の外周面である小径周面と、前記大径管部の外周面である大径周面と、前記小径周面と前記大径周面との両方に接し、且つ、前記中心軸線に略直交する段差面と、からなり、
前記ロータの前記軸受ユニットに面する内周面は、前記小径周面に当接する小径受入面と、前記大径周面に当接する大径受入面と、前記段差面に当接する当接面と、を有することを特徴とする請求項３に記載のキャンドモータポンプ。
【請求項５】
前記軸受ユニットの前記小径周面は、互いに平行して前記中心軸線の両側にそれぞれ形成されている１対の第１の平面エリアを有し、
前記ロータの前記小径受入面は、前記１対の第１の平面エリアにそれぞれ当接するように、互いに平行して前記中心軸線の両側にそれぞれ形成されている１対の第２の平面エリアを有することを特徴とする請求項４に記載のキャンドモータポンプ。
【考案の詳細な説明】
【技術分野】
【０００１】
本考案はキャンドモータポンプに関し、特に、軸受ユニットを有するキャンドモータポンプに関する。
【背景技術】
【０００２】
液体の供給に用いられる従来のキャンドモータポンプにおいて回転軸を保持する軸受に関しては、例えば特許文献１に記載されるものが挙げられる。特許文献１に記載されるように、該従来のキャンドモータポンプに使用される軸受には、回転軸に略平行する複数の放熱溝が形成され、軸受と該軸受の外周面を通過する流体との接触面積を増やすことにより、回転軸の回転中に生じる熱を排出し、これにより回転軸の使用寿命を延ばそうとしている。
【先行技術文献】
【特許文献】
【０００３】
【特許文献１】台湾実用新案登録第Ｍ３５９５９５号明細書
【考案の概要】
【考案が解決しようとする課題】
【０００４】
しかし、軸受と該軸受の外周面を通過する流体との接触面積を増やすだけでは、回転軸の回転中に生じる熱を効率よく排出することが出来ず、即ち、放熱溝に進入して該軸受と熱交換した流体を排出する経路は存在しないので、結局熱は回転軸及び軸受に留まることになり、僅かな熱が排出されるだけで、回転軸の使用寿命を延ばす効果も見られない。
【０００５】
上記問題点に鑑みて、回転軸の回転中に生じる熱を効率よく排出し、これにより回転軸の使用寿命を確実に延ばすことが可能なキャンドモータポンプの提供を目的とする。
【課題を解決するための手段】
【０００６】
上記目的を達成すべく、本考案は所定の中心軸線に沿って延伸するロータ保持空間を囲むと共に、前記中心軸線が略直交するように通過する底板部と、該底板部の周縁から前記中心軸線と略平行に延伸する側壁部と、該側壁部の前記底板部から延伸する先端側にあるケース開口と、を有するように形成されたロータケースと、
前記ロータケースの外側において該ロータケースを囲んで保持固定する環状のステータと、
前記中心軸線に沿って延伸するように前記保持空間内に配置され、且つ、前記ロータケースの前記底板部により保持されている第１の端部と、該第１の端部の反対側にある第２の端部と、前記第１の端部と前記第２の端部との間にある本体部と、を有する回転軸と、
前記ロータケースの前記側壁部の内側において前記回転軸の前記本体部を外挿する管状体に形成されていると共に、前記ロータケースの前記ケース開口に面する第１の端面を有する小径管部と、前記ロータケースの前記底板部に面する第２の端面を有する大径管部と、からなる軸受ユニットと、
前記軸受ユニットを管外側から囲んで保持し、前記中心軸線を軸心として前記軸受ユニットと共に回転できるように、前記ロータケースの前記側壁部の内側に配置されているロータと、を備えたキャンドモータポンプであって、
前記軸受ユニットの前記ロータに面する外周面には、前記中心軸線と略平行して前記第１の端面から前記第２の端面にまで延伸し、且つ、前記第１の端面と前記第２の端面とにそれぞれ第１の端面開口と第２の端面開口とを有する切込み溝が複数凹設される上、
前記ロータケースと前記軸受ユニットと前記ロータとの間に、前記切込み溝と、前記ロータと前記底板部との間の隙間と、前記ロータと前記側壁部との間の隙間と、が含まれて連続する１つの流体通路が画成されていることを特徴とするキャンドモータポンプを提供する。
【考案の効果】
【０００７】
上記のように、本考案のキャンドモータポンプは、前記ロータケースと前記軸受ユニットと前記ロータとの間に、前記切込み溝と、前記ロータと前記底板部との間の隙間と、前記ロータと前記側壁部との間の隙間と、が含まれて連続する１つの流体通路が画成されているので、回転軸の回転中に生じる熱は、該キャンドモータポンプにより搬送される流体のうち切込み溝内に流れ込んだ流体との熱交換により流体に伝わった後、該流体が切込み溝から前記ロータと前記底板部との間の隙間及び前記ロータと前記側壁部との間の隙間を経由して該キャンドモータポンプの流体の搬送先に排出されることで、熱を効率よく排出し、これにより回転軸の使用寿命を確実に延ばすことが可能となる。
【図面の簡単な説明】
【０００８】
【図１】本考案に係るキャンドモータポンプの一実施形態の断面図である。
【図２】同実施形態の一部拡大断面図である。
【図３】同実施形態における軸受ユニット及びロータの一部切欠斜視図である。
【図４】同実施形態における軸受ユニット及びロータの分解斜視図である。
【図５】同実施形態における軸受ユニットの分解斜視図である。
【考案を実施するための形態】
【０００９】
以下、本考案に係るキャンドモータポンプ２００の実施形態について、図面を参照して詳しく説明する。図１は本考案に係るキャンドモータポンプ２００の一実施形態の断面図であり、図２は同実施形態の一部拡大断面図であり、図３は同実施形態における軸受ユニット及びロータの一部切欠斜視図であり、図４は同実施形態における軸受ユニット及びロータの分解斜視図であり、図５は同実施形態における軸受ユニットの分解斜視図である。
【００１０】
図１に示されているように、該キャンドモータポンプ２００は羽根車９０の回転により該キャンドモータポンプ２００内に流れ込んだ流体（例えば、液体）の進行方向を誘導するものである。そして該キャンドモータポンプ２００の羽根車９０を駆動するモータとしては、ロータケース１０と、ステータ２０と、回転軸３０と、軸受ユニット４０と、ロータ５０と、を備えている。また、該キャンドモータポンプ２００全体を保持する保持枠６０と、ステータ２０を保持枠６０に保持するようにステータ２０と保持枠６０との間に介在する放熱枠７０と、羽根車９０の前側（図１における左側）を覆うように保持枠６０に取り付けられるフロントカバー８１と、ロータケース１０の後側（図１における右側）を覆うように保持枠６０に取り付けられるリアカバー８２と、をも備えている。
【００１１】
ロータケース１０は、所定の中心軸線Ｌに沿って延伸するロータ保持空間１３を囲むように形成されている。具体的には、ロータケース１０は、中心軸線Ｌが略直交するように通過する底板部１１と、該底板部１１の周縁から中心軸線Ｌと略平行に延伸して底板部１１と共にロータ保持空間１３を囲む側壁部１２と、該側壁部１２の底板部１１から延伸する先端側にあるケース開口１４と、該側壁部１２の底板部１１から延伸する先端から外側、つまり、ケース開口１４の反対側へ環状に張り出すフランジ１５と、を有するように形成されている。
【００１２】
ステータ２０は環状に形成されていて、ロータケース１０の外側において該ロータケースをその環内に囲んで保持固定する。
【００１３】
回転軸３０は中心軸線Ｌに沿って延伸するように保持空間１３内に配置され、且つ、ロータケース１０の底板部１１により保持されている第１の端部３１と、該第１の端部３１の反対側にあって羽根車９０が固定されている第２の端部３２と、第１の端部３１と第２の端部３２との間にある本体部３３と、を有する。
【００１４】
軸受ユニット４０は、ロータケース１０の側壁部１２の内側において回転軸３０の本体部３３を挿入する管状体に形成されていると共に、ロータケース１０のケース開口１４に面する第１の端面４１を有する小径管部４８と、ロータケース１０の底板部１１に面する第２の端面４２を有する大径管部４９と、を有する。
【００１５】
ロータ５０は軸受ユニット４０を管外側から囲んで保持し、中心軸線Ｌを軸心として軸受ユニット４０と共に回転できるように、ロータケース１０の側壁部１２の内側に配置されている。
【００１６】
図２に示されているように本考案において、軸受ユニット４０のロータ５０に面する外周面４３には、中心軸線Ｌと略平行して第１の端面４１から第２の端面４２にまで延伸し、且つ、第１の端面４１と第２の端面４２とにそれぞれ第１の端面開口４１１と第２の端面開口４２１とを有する切込み溝４４が複数凹設される上、ロータケース１０と軸受ユニット４０とロータ５０との間に、切込み溝４４と、ロータ５０と底板部１１との間の隙間と、ロータ５０と側壁部１２との間の隙間と、が含まれて連続する１つの流体通路１００（図中の矢印を参照）が画成されている。
【００１７】
このように、本考案のキャンドモータポンプ２００は、ロータケース１０と軸受ユニット４０とロータ５０との間に、切込み溝４４と、ロータ５０と底板部１１との間の隙間と、ロータ５０と側壁部１２との間の隙間と、が含まれて連続する１つの流体通路１００（図中の矢印に参照）が画成されているので、回転軸３０の回転中に生じる熱は、該キャンドモータポンプ２００により搬送される流体のうち切込み溝４４内に流れ込んだ流体との熱交換により流体に伝わった後、該流体が切込み溝４４からロータ５０と底板部１１との間の隙間及びロータ５０と側壁部１２との間の隙間を経由して該キャンドモータポンプ２００の流体の搬送先に排出されることで、熱を効率よく排出し、これにより回転軸の使用寿命を確実に延ばすことが可能となる。
【００１８】
更に、図３に示されるように、軸受ユニット４０の回転軸３０に面する内周面４５には、第１の端面４１から第２の端面４２にまでらせん状に延伸するらせん溝４６と、中心軸線Ｌと略平行して第１の端面４１から第２の端面４２にまで延伸し、且つ、らせん溝４６に連通する内側溝４７と、が凹設されている。
【００１９】
この構成により、該キャンドモータポンプ２００により搬送される流体は、らせん溝４６や内側溝４７に進入することも可能となり、らせん溝４６や内側溝４７内に進入した流体は回転軸３０及び軸受ユニット４０と熱交換してから、ロータ５０と底板部１１との間の隙間及びロータ５０と側壁部１２との間の隙間を経由して該キャンドモータポンプ２００の流体の搬送先に排出されることで、熱を更に効率よく排出することができる。また、らせん溝４６と内側溝４７とが形成されることにより、軸受ユニット４０の回転軸３０と接触する面積を減らすことができ、これにより部材の間の磨耗を抑えることもできる。
【００２０】
また、軸受ユニット４０のロータ５０に面する外周面４３は、小径管部４８の外周面である小径周面４３１と、大径管部４９の外周面である大径周面４３２と、小径周面４３１と大径周面４３２の両方に接し、且つ、中心軸線Ｌに略直交する段差面４３３と、を有する。
【００２１】
ロータ５０の軸受ユニット４０に面する内周面５１は、小径周面４３１に当接する小径受入面５１１と、大径周面４３２に当接する大径受入面５１２と、段差面４３３に当接する当接面５１３と、を有する。
【００２２】
更に、軸受ユニット４０の前記小径周面４３１は、互いに平行して中心軸線Ｌの両側にそれぞれ形成されている１対の第１の平面エリア４８１を有し、ロータ５０の小径受入面５１１は、該１対の第１の平面エリア４８１にそれぞれ当接するように、互いに平行して中心軸線Ｌの両側にそれぞれ形成されている１対の第２の平面エリア５１６を有する。
【００２３】
このように、ロータ５０内に挿入される軸受ユニット４０に形成される１対の第１の平面エリア４８１と、ロータ５０に形成される１対の第２の平面エリア５１６と、がそれぞれ当接することにより、ロータ５０及び軸受ユニット４０は共に回転軸３０に対して回転するようになり、この回転により羽根車９０の回転を駆動してキャンドモータポンプ２００としての機能を果たさせることができる。
【００２４】
ちなみに、図５に示されているように、この実施形態において、軸受ユニット４０の大径管部４９の外周面である大径周面４３２には、放熱溝４４´が形成されており、放熱溝４４´の段差面４３３においてケース開口１４側に臨む開口は、ロータ５０の当接面５１３により塞がれるが、放熱溝４４´が形成されることにより、軸受ユニット４０の流体の接触する面積が増え、軸受ユニット４０の流体との熱交換の効率を向上させるのに寄与する。
【００２５】
以上、本考案の好ましい実施形態を説明したが、本考案はこれらに限定されるものではなく、最も広い解釈の精神および範囲内に含まれる様々な構成として、全ての修飾および均等な構成を包含するものとする。
【産業上の利用可能性】
【００２６】
上記のように、本考案のキャンドモータポンプ２００は、稼働時に発生する熱を効率よく排出し、これにより回転軸の使用寿命を確実に延ばすことが可能であるため、耐久性の高いキャンドモータポンプとして有用である。
【符号の説明】
【００２７】
１０    ロータケース
１００  流体通路
１１    底板部
１２    側壁部
１３    ロータ保持空間
１４    ケース開口
１５    フランジ
２０    ステータ
２００  キャンドモータポンプ
３０    回転軸
３１    第１の端部
３２    第２の端部
３３    本体部
４０    軸受ユニット
４１    第１の端面
４１１  第１の端面開口
４２    第２の端面
４２１  第２の端面開口
４３    外周面
４３１  小径周面
４３２  大径周面
４３３  段差面
４４    切込み溝
４４´  放熱溝
４５    内周面
４６    らせん溝
４７    内側溝
４８    小径管部
４８１  第１の平面エリア
４９    大径管部
５０    ロータ
５１    内周面
５１１  小径受入面
５１２  大径受入面
５１３  当接面
５１６  第２の平面エリア
６０    保持枠
７０    放熱枠
８１    フロントカバー
８２    リアカバー
９０    羽根車
【図１】
0003235611.tif 000003
【図２】
0003235611.tif 000004
【図３】
0003235611.tif 000005
【図４】
0003235611.tif 000006
【図５】
0003235611.tif 000007